(57)【要約】      （修正有） 【課題】資源の無駄使いに成らず、更に、シリコンゴム製のスリーブにより、熱いコップの側面を覆っているために、優れた断熱性を有し、コップを持つ手には熱が伝わらなくすると共にコップの中の熱い飲み物は冷めにくく、スリーブに凹溝や凹陥部を形成しており、滑落しにくい画期的なもので、実用性の高い耐熱スリーブ付コップの提供。【解決手段】コップ１の頂部に係止する係止用鍔部２ａを膨出させると共に濾過部をコップに挿脱可能に内装するフィルタ２と、フィルタカバー３と、滑り止め部４ａを突設させた蓋体４と、コップの側面を覆うシリコンゴム製のスリーブ５とを備え、更に、スリーブに係着部５ａを形成したものであり、更には、スリーブに凹凸部５１を形成し、加えて、スリーブに外径の相違する横筋模様５２ａを形成して凹凸部５２を形成したものであり、また、スリーブの胴周に凹陥部又は凸部５３を形成した。【選択図】図１
0003129426.tif 000002
【実用新案登録請求の範囲】
【請求項１】
被抽出物に熱湯を注ぎ成分を抽出させて熱い飲み物を飲用する有底略円筒状のコップにおいて、前記コップの頂部に係止するフランジ状の係止用鍔部を頂部に膨出させると共に下方の濾過部をコップに挿脱可能に内装するフィルタと、該フィルタの側面を覆う円筒状のフィルタカバーと、前記係止用鍔部の内側に挿通する環状リブ状の滑り止め部を下面に突設させた蓋体と、前記コップの側面の外周を覆う略円筒状のシリコンゴム製のスリーブと、を備えたことを特徴とする耐熱スリーブ付コップ。
【請求項２】
前記スリーブの下方内側に前記コップの底部外周辺を係着させる内フランジ状の係着部を形成したことを特徴とする請求項１に記載の耐熱スリーブ付コップ。
【請求項３】
前記スリーブの胴周の横方向に人間の指の形状に合致する複数の凹凸部を形成したことを特徴とする請求項１又は請求項２に記載の耐熱スリーブ付コップ。
【請求項４】
前記スリーブの胴周の横方向に外径の相違する多数の横筋模様を形成して人間の指の形状に合致する複数の凹凸部を形成したことを特徴とする請求項１又は請求項２に記載の耐熱スリーブ付コップ。
【請求項５】
前記スリーブの胴周に多数の滑らかな皿状の凹陥部又は凸部を形成したことを特徴とする請求項１又は請求項２に記載の耐熱スリーブ付コップ。
【考案の詳細な説明】
【技術分野】
【０００１】
本考案は、耐熱スリーブ付コップに関するものであり、更に詳細には、熱い飲み物を飲用するときに手に伝わる熱を遮断すると共に飲み物を冷めにくくし、更に、コップでお茶や珈琲等の濾過抽出をするフィルタを備えた耐熱スリーブ付コップに関するものである。
【背景技術】
【０００２】
従来、この種の熱い飲み物を飲用するコップは汎用されており、夫々工夫され生活において役に立っている。一般的にはお茶は急須で成分を抽出してコップに注いで飲用しており、珈琲はサイホンで成分を抽出してコップに注いで飲用しており、また、コップの熱さを防ぐ手段として側面に取っ手を突設しており、更には、お茶や珈琲等を濾過するフィルタも各種市販されており、ティバッグにしたものや紙フィルタで濾過するものが汎用されている。
【０００３】
例えば、先に開示されている、上周端の外側に縁円部４を有する外側カップ１に、内側カップ２を勘入し、内側カップ２に設けられた縁円部３に上記縁円部４を当接し、外側カップ１と内側カップ２間に空間６を形成する。このように二重構造のコップとすることにより、上記空間６を断熱部として利用し、例えば熱い飲み物を入れた場合でも冷えにくいコップとすることができるもの（特許文献１参照）や、 波板或いはエンボス加工を施す事で層の厚みを増した断熱板２に平板１を貼り合せたシートの中央に中央折線３を入れ、中央折線上に開口切込４を開け、中央折線３を袋折する事で開口切込４は開いて、コップ５を嵌め込む事ができるもの（特許文献２参照）や、少なくとも片面に熱可塑性樹脂層を積層した紙基材を加熱プレスにより深絞り成形して熱可塑性樹脂層を内面にしたカップ状容器１０を形成し、このカップ状容器１０を、本体部１１と、本体部１１の底面１１ａから下方へ突出する小径のコーヒー粉末収納部１２とを有する２段形状にする。コーヒー粉末収納部１２の底面１２ｂに開口１２ａを形成し、本体部１１の底面１１ａとコーヒー粉末収納部１２の底面１２ｂにそれぞれ濾紙１３，１４を貼着して、この２枚の濾紙１３，１４の間にコーヒー粉末１５を封入するもの（特許文献３参照）がある。
【特許文献１】特開２００２−３４７７３９号公報
【特許文献２】特開２０００−２２９６７８号公報
【特許文献３】特開平９−１８７３８１号公報
【考案の開示】
【考案が解決しようとする課題】
【０００４】
然し乍ら、急須やサイホンを使用する場合は、コップ以外に別途にこれらの器具を備えなければ成らず、また、取っ手を突設したコップは持ちにくく、持つ方向も限定されると共に、取っ手は欠け易く又収納時には邪魔になるものであり、更に、ティバッグや紙フィルタで濾過するものは、殆どが一度きりの使い捨てであり、資源の浪費に繋がるものである。
【０００５】
更に、特許文献１や特許文献２に記載のものは、二重構造の断熱機能を備えたコップであるが、内側カップ２を和紙で構成されるものや、全体を紙製にして使い捨てにするもので、更には、抽出物を抽出するフィルタは備えていないものであり、更に、特許文献３に記載のものは、簡易ドリップ式コーヒーメーカーであるが、コップに載置して用いるもので、使用後は破棄されるもので、やはり、資源の浪費に繋がるものである。
【課題を解決するための手段】
【０００６】
本考案の耐熱スリーブ付コップは、前述の課題に鑑み、鋭意研鑽の結果、熱い飲み物を飲用するコップにおいて、コップの頂部に係止するの係止用鍔部を膨出させると共に下方の濾過部をコップに挿脱可能に内装するフィルタと、フィルタの側面を覆うフィルタカバーと、係止用鍔部の内側に挿通する滑り止め部を下面に突設させた蓋体と、コップの側面を覆うシリコンゴム製のスリーブと、を備えたものであり、更に、スリーブの下方内側にコップの底部外周辺を係着させる係着部を形成したものであり、更には、スリーブの胴周の横方向に人間の指の形状に合致する複数の凹凸部を形成したものであり、加えて、スリーブの胴周の横方向に外径の相違する多数の横筋模様を形成して人間の指の形状に合致する複数の凹凸部を形成したものであり、また、スリーブの胴周に多数の滑らかな皿状の凹陥部又は凸部を形成したものである。
【考案の効果】
【０００７】
本考案の耐熱スリーブ付コップは、コップに付設されたフィルタとフィルタカバーとをコップの頂部に係止用鍔部を係止させ内装して、被抽出物をフィルタの内部に入れて、熱湯を注いで抽出物を抽出するものであり、お茶のように再度お湯を注いで再度抽出して飲用するものに好適なものであり、何度も使用できるので、資源の無駄使いに成らず、更に、シリコンゴム製のスリーブにより、熱いコップの側面を覆っているために、優れた断熱性を有し、コップを持つ手には熱が伝わらなくすると共にコップの中の熱い飲み物は冷めにくく、スリーブに凹溝や凹陥部を形成しており、滑落しにくい画期的なもので、実用性の高い考案である。
【考案を実施するための最良の形態】
【０００８】
以下、本考案の耐熱スリーブ付コップの実施例の図面によって具体的に説明すると、図１は本考案の耐熱スリーブ付コップの実施例の（ａ）は平面図（ｂ）は側面図であり、図２は本考案の耐熱スリーブ付コップの実施例の分解側面図であり、図３は本考案の耐熱スリーブ付コップの次実施例の（ａ）は側面図（ｂ）は側面分解図であり、図４は本考案の耐熱スリーブ付コップの他の実施例の（ａ）は側面図（ｂ）は側面分解図である。
【０００９】
本考案は、耐熱スリーブ付コップに関するものであり、更に詳細には、熱い飲み物を飲用するときに手に伝わる熱を遮断すると共に飲み物を冷めにくくし、更に、コップ１でお茶や珈琲等の濾過抽出をするフィルタ２を備えた耐熱スリーブ付コップに関するものであり、請求項１に記載の耐熱スリーブ付コップは、被抽出物に熱湯を注ぎ成分を抽出させて熱い飲み物を飲用する有底略円筒状のコップ１において、前記コップ１の頂部に係止するフランジ状の係止用鍔部２ａを頂部に膨出させると共に下方の濾過部をコップ１に挿脱可能に内装するフィルタ２と、該フィルタ２の側面を覆う円筒状のフィルタカバー３と、前記係止用鍔部２ａの内側に挿通する環状リブ状の滑り止め部４ａを下面に突設させた蓋体４と、前記コップ１の側面の外周を覆う略円筒状のシリコンゴム製のスリーブ５と、を備えたことを特徴とするものである。
【００１０】
更に、請求項２に記載の耐熱スリーブ付コップは、請求項１に記載の耐熱スリーブ付コップにおいて、前記スリーブ５の下方内側に前記コップ１の底部外周辺を係着させる内フランジ状の係着部５ａを形成したことを特徴とするものである。
【００１１】
更には、請求項３に記載の耐熱スリーブ付コップは、請求項１又は請求項２に記載の耐熱スリーブ付コップにおいて、前記スリーブ５の胴周の横方向に人間の指の形状に合致する複数の凹凸部５１を形成したことを特徴とするものである。
【００１２】
加えて、請求項４に記載の耐熱スリーブ付コップは、請求項１又は請求項２に記載の耐熱スリーブ付コップにおいて、前記スリーブ５の胴周の横方向に外径の相違する多数の横筋模様５２ａを形成して人間の指の形状に合致する複数の凹凸部５２を形成したものである。
【００１３】
更には、請求項５に記載の耐熱スリーブ付コップは、請求項１又は請求項２に記載の耐熱スリーブ付コップにおいて、前記スリーブ５の胴周に多数の滑らかな皿状の凹陥部５３を形成したことを特徴とするものである。  
【実施例】
【００１４】
即ち、本考案の耐熱スリーブ付コップのコップ１は、お茶や紅茶、珈琲等の被抽出物に熱湯を注ぎ成分を抽出させた飲み物を熱い状態で飲用する有底略円筒状にプラスチック、陶磁器、ステンレス等の金属で形成されたものである。
【００１５】
そして、フィルタ２は、コップ１に挿脱可能に内装できるもので、係止用鍔部２ａと濾過部とを備え、係止用鍔部２ａは頂部にフランジ状に膨出させるもので、挿入時にコップ１の頂部に係止するものであり、濾過部は、プラスチック又はステンレスを網状に形成したもので、被抽出物を内側に入れて熱湯を注ぐことで抽出及び濾過し、コップ１に流入させるもので、少なくとも下面に張設しているものである。
【００１６】
次に、フィルタカバー３は、フィルタ２の側面を覆ってフィルタ２と共に、コップ１の内側に挿脱させるものであり、プラスチック等で形成された、円筒状のものである。
【００１７】
次いで、蓋体４は、コップ１とセットで形成し、下面に環状リブ状の滑り止め部４ａを突設させた円板状のもので、コップ１に閉蓋して飲み物に塵や埃が入らないようにすると共に、熱い飲み物を冷めにくくし、滑落を防止するためにフィルタ２の係止用鍔部２ａの内側に挿通する環状リブ状の滑り止め部４ａを突設させ、図１に図示する実施例では、外周縁部に開蓋するための取っ手を突設させているものである。
【００１８】
更に、スリーブ５は、適宜な柔軟性と滑らかさを有したシリコンゴム製で略円筒状に形成したものであり、コップ１の側面の外周を覆うもので、優れた耐熱性つまり断熱性を有するものである。
【００１９】
更には、図４（ａ）の側面図に図示するように、スリーブ５の下方内側に前記コップ１の底部外周辺を係着させる内フランジ状の係着部５ａを形成しており、コップ１をスリーブ５の内周面で保持するだけでなく、係着部５ａによりコップ１の底部も保持するので挿脱を容易とするものである。
【００２０】
そして、図１乃至図２に図示する実施例のスリーブ５では、スリーブ５の胴周の横方向に人間の指に合致させた複数の凹凸部５１を形成したもので、実施例では波状に３段形成しているもので、人差し指と中指と薬指と親指で把持するのに好適に複数の凹凸部５１を形成しているものである。
【００２１】
更に、図３に図示する次実施例のスリーブ５では、多数の横筋模様５２ａをスリーブ５の胴周の横方向に外径を相違させて形成することで、人間の指に合致させた複数の凹凸部５２を形成したものである。
【００２２】
更には、図４に図示する他の実施例では、多数の滑らかな皿状の凹陥部又は凸部５３をスリーブ５の胴周に形成したもので、適宜な凹陥部５３に人間の指先を挿入させることで滑落させることなく把持できるものである。
【産業上の利用可能性】
【００２３】
本考案の耐熱スリーブ付コップは、コップに付設されたフィルタとフィルタカバーとをコップの頂部に係止用鍔部を係止させ内装して、被抽出物をフィルタの内部に入れて、熱湯を注いで抽出物を抽出するものであり、お茶のように再度お湯を注いで再度抽出して飲用するものに好適なもので、資源の無駄使いに成らず、更に、優れた耐熱性、断熱性のシリコンゴム製のスリーブにより、熱いコップの側面を覆っているために、コップを持つ手には熱が伝わらなくすると共に、コップの中の熱い飲み物は冷めにくく、更には、スリーブの胴周に凹陥部を形成しており、滑落しにくい耐熱スリーブ付コップを提供するものである。
【図面の簡単な説明】
【００２４】
【図１】図１は本考案の耐熱スリーブ付コップの実施例の（ａ）は平面図（ｂ）は側面図である。
【図２】図２は本考案の耐熱スリーブ付コップの実施例の分解側面図である。
【図３】図３は本考案の耐熱スリーブ付コップの次実施例の（ａ）は側面図（ｂ）は側面分解図である。
【図４】図４は本考案の耐熱スリーブ付コップの他の実施例の（ａ）は側面図（ｂ）は側面分解図である。
【符号の説明】
【００２５】
１      コップ
２      フィルタ
２ａ    係止用鍔部
３      フィルタカバー
４      蓋体
４ａ    滑り止め部
５      スリーブ
５ａ    係着部
５１    凹凸部
５２    凹凸部
５２ａ  横筋模様
５３    凹陥部又は凸部
【図１】
0003129426.tif 000003
【図２】
0003129426.tif 000004
【図３】
0003129426.tif 000005
【図４】
0003129426.tif 000006